(57)【要約】      （修正有）【課題】ステッキの役割を果たすとき、労力を節約し、かつ安全なステッキチェアを提供する。【解決手段】ステッキチェアが、主要な杖１、シートユニット２、支持ユニット４および連結ユニット５を含む。シートユニット２が、第１および第２の位置の間を移動可能に主要な杖１に接続された上部スライダ部材２１、および上部スライダ部材２１に接続されたシート部材２２を含む。支持ユニット４が、主要な杖１に接続される。連結ユニット５が、支持ユニット４およびシートユニット２に接続される。上部スライダ部材２１が第２の位置にあるとき、ステッキチェアが広げられた状態にあり、上部スライダ部材２１が第２の位置から第１の位置に移動するとき、ステッキチェアが、広げられた状態から折りたたまれた状態に変換される。【選択図】図１
2014039812.tif 000002
【特許請求の範囲】
【請求項１】
ステッキチェアであって：
主要な杖（１）であって、
両端にある上端および下端を有する細長いロッド本体（１０）、
前記ロッド本体（１０）の前記上端に接続されたハンドル部分（１１）、および
前記ロッド本体（１０）の前記上端に接続された足部分（１２）
を有する主要な杖（１）；
シートユニット（２、２００’、２０００、２００”、２００）であって、
前記ロッド本体（１０）にスライド可能に接続され、かつ第１の位置および第２の位置の間でロッド本体（１０）に沿って移動可能な上部スライダ部材（２１、２１０’、２１００、２１０”、２０１）であって、前記第２の位置が前記ハンドル部分（１１）から遠位にあり、前記第１の位置が前記ハンドル部分（１１）および前記第２の位置の間に配置された上部スライダ部材（２１、２１０’、２１００、２１０”、２０１）、および
前記上部スライダ部材（２１、２１０’、２１００、２１０”、２０１）に接続されたシート部材（２２、２２０、２２０’、２２００、２２０”、２２００”、８１、２０２）
を含むシートユニット（２、２００’、２０００、２００”、２００）；
前記シートユニット（２、２００’、２０００、２２０”、２００）の前記上部スライダ部材（２１、２１０’、２１００、２１０”、２０１）の下で前記ロッド本体（１０）に旋回可能に接続された旋回式端部部分（４３３、４３３’、４３３０、４３３”、７１２、７３３”）、および前記旋回式端部部分（４３３、４３３’、４３３０、４３３”、７１２、７３３”）の反対側の固定されていない端部部分（４４１、７１１）を有する支持ユニット（４、４’、４”、４００’、４０００、４００”、７、７”、７０、４００）；ならびに
前記支持ユニット（４、４’、４”、４００’、４０００、４００”、７、７”、７０、４００）および前記シートユニット（２、２００’、２０００、２００”、２００）の間に配置され、かつ前記支持ユニット（４、４’、４”、４００’、４０００、４００”、７、７”、７０、４００）および前記シートユニット（２、２００’、２０００、２００”）に旋回可能に接続された連結ユニット（５、５’、５”、５００’、８、８’、５００）
により特徴づけられ；
前記上部スライダ部材（２１、２１０’、２１００、２１０”、２０１）が前記第２の位置にあるとき、前記シート部材（２２、２２０、２２０’、２２００、２２０”、２２００”、８１、２０２）が、前記シート部材（２２、２２０、２２０’、２２００、２２０”、２２００”、８１、２０２）および前記ロッド本体（１０）が角度を形成する、広げられた状態にあり、前記支持ユニット（４、４’、４”、４００’、４０００、４００”、７、７”、７０、４００）が、前記支持ユニット（４、４’、４”、４００’、４０００、４００”、７、７”、７０、４００）の前記固定されていない端部部分（４４１）が前記ロッド本体（１０）から離れ、かつ地面と接触させるために前記足部分（１２）と協力する、広げられた状態にあり；
前記上部スライダ部材（２１、２１０’、２１００、２１０”、２０１）が前記第２の位置から前記第１の位置に上方に移動するとき、前記シート部材（２２、２２０、２２０’、２２００、２２０”、２２００”、８１、２０２）が前記ロッド本体（１０）に向けて折りたたまれた状態に移動し、前記連結ユニット（５、５’、５”、５００’、８、８’、５００）が、上方に移動して、前記支持ユニット（４、４’、４”、４００’、４０００、４００”、７、７”、７０、４００）を作動させて、前記固定されていない端部部分（４４１）が前記ロッド本体（１０）に近接する、折りたたまれた状態まで上方に旋回するように駆動されるステッキチェア。
【請求項２】
前記上部スライダ部材（２１、２１０’、２１００、２１０”、２０１）の下で前記ロッド本体（１０）に固定されて接続された突き当たり部材（３１、３１”、３１０、３１０’、３１０”、６１、６１’、６１”、６１０、９０、３０１）を含む位置決めユニット（３、３００”、６、６’、６”、６０、３００）によりさらに特徴づけられ、前記連結ユニット（５、５’、５１”、５００’、８、８’、５００）が、前記シートユニット（２、２００’、２０００、２００”、２００）に旋回可能に接続された駆動される部分、および前記支持ユニット（４、４’、４”、４００’、４０００、４００”、７、７”、７０、４００）に旋回可能に接続された駆動する部分を有する連結部材（５１、５１’、５１”、５１０、５１０’、５１００、５１０”、８１、８１’）を含み、前記旋回式端部部分（４３３、４３３’、４３３０、４３３”、７１２、７３３”）が、前記突き当たり部材（３１、３１”、３１０、３１０’、３１０”、６１、６１’、６１”、６１０、９０、３０１）により前記ロッド本体（１０）に対して位置決めされる、請求項１に記載のステッキチェア。
【請求項３】
前記支持ユニット（４００’、４００”、７）の前記旋回式端部部分（４３３’、４３３”、７１２）が、前記突き当たり部材（３１０’、３１０”、６１）に旋回可能に接続され、前記連結部材（５１０’、５１０”、８１）の前記駆動される部分が、前記上部スライダ部材（２１０’、２１０”）の一方および前記シート部材（２２０’、２２０”）に旋回可能に結合されることを特徴とする、請求項２に記載のステッキチェア。
【請求項４】
前記位置決めユニット（３、６’、６０、３００）が、
前記ロッド本体（１０）にスライド可能に接続され、かつ前記突き当たり部材（３１、３１”、３１０、６１’、６１０、９０、３０１）および前記上部スライダ部材（２１、２１００、２０１）の間に配置された中間スライダ部材（３２、３２００、６２’、３２００”、３０２）をさらに含み、前記支持ユニット（４、４’、４”、４０００、７０、４００）の前記旋回式端部部分（４３３、４３３０）が、前記中間スライダ部材（３２、３２００、６２’、３２００”、３０２）に旋回可能に接続され、前記上部スライダ部材（２１、２１００、２０１）が前記第２の位置にあるとき、前記中間スライダ部材（３２、３２００、６２’、３２００”、３０２）が前記突き当たり部材（３１、３１”、３１０、６１’、６１０、９０、３０１）に接し、前記連結部材（５１、５１’、５１”、５１０、５１００、８１’）の前記駆動される部分が、前記上部スライダ部材（２１、２１００、２０１）の一方および前記シート部材（２２、２２０、２２００、２２００”、８１、２０２）に旋回可能に接続される
ことを特徴とする、請求項２に記載のステッキチェア。
【請求項５】
前記シートユニット（２、２００’、２０００、２００”、２００）が、前記シート部材（２２、２２０、２２０’、２２００、２２０”、２２００”、８１、２０２）および前記位置決めユニット（３、３００”、６”、６０、３００）の間に配置され、かつ前記シート部材（２２、２２０、２２０’、２２００、２２０”、２２００”、８１、２０２）および前記位置決めユニット（３、３００”、６”、６０、３００）に接続された連結セット（２３、２３”、２３０、２３０”、２３００”、８０、２０３）をさらに含み、前記上部スライダ部材（２１、２１０’、２１００、２１０”、２０１）が前記第１の位置に移動させられるとき、前記連結セット（２３、２３”、２３０、２３０”、２３００”、８０、２０３）が前記ロッド本体（１０）に向かって旋回し、前記上部スライダ部材（２１、２１０’、２１００、２１０”、２０１）が前記第２の位置に移動させられるとき、前記連結セット（２３、２３”、２３０、２３０”、２３００”、８０、２０３）が前記ロッド本体（１０）から離れ、前記連結部材（５１、５１’、５１”、５１０、５１０’、５１００、５１０”）の前記駆動される部分が、前記上部スライダ部材（２１、２１０’、２１００、２１０”、２０１）の一方および前記シート部材（２２、２２０、２２０’、２２００、２２０”、２２００”、８１、２０２）に旋回可能に接続されることを特徴とする、請求項２に記載のステッキチェア。
【請求項６】
前記連結セット（２３０”）が前記突き当たり部材（３１０”）に旋回可能に接続され、前記支持ユニット（４００”）の前記旋回式端部部分（４３３”）が前記突き当たり部材（３１０”）に旋回可能に接続されることをさらに特徴とする、請求項５に記載のステッキチェア。
【請求項７】
前記位置決めユニット（３、６０、３００）が、前記ロッド本体（１０）にスライド可能に接続され、かつ前記突き当たり部材（３１、３１”、３１０、３１０’、６１０、９０、３０１）および前記上部スライダ部材（２１、２１０’、２１００、２０１）の間に配置された中間スライダ部材（３２、３２００、３２００”、３０２）をさらに含み、前記連結セット（２３、２３”、２３０、２３００”、８０、２０３）の少なくとも１つ、および前記支持ユニット（４、４’、４００’、４０００、７０、４００）の前記旋回式端部部分（４３３、４３３’、４３３０）が、前記中間スライダ部材（３２、３２００、３２００”、３０２）に旋回可能に接続され、前記上部スライダ部材（２１、２１０’、２１００、２０１）が前記第２の位置にあるとき、前記中間スライダ部材（３２、３２００、３２００”、３０２）が前記突き当たり部材（３１、３１”、３１０、３１０’、６１０、９０、３０１）に接することをさらに特徴とする、請求項５に記載のステッキチェア。
【請求項８】
前記連結セット（２３”、２３０、８０）が前記突き当たり部材（３１”、３１０、９０）に旋回可能に接続され、前記支持ユニット（４”、７０）の前記旋回式端部部分（４３３）が前記中間スライダ部材（３２）に旋回可能に接続されることをさらに特徴とする、請求項７に記載のステッキチェア。
【請求項９】
前記連結セット（２３）が前記中間スライダ部材（３２）に旋回可能に接続され、前記支持ユニット（４００’）の前記旋回式端部部分（４３３’）が前記突き当たり部材（３１０’）に旋回可能に接続されることをさらに特徴とする、請求項７に記載のステッキチェア。
【請求項１０】
前記連結セット（２３、２３００”、２０３）が前記中間スライダ部材（３２、３２００、３２００”、３０２）に旋回可能に接続され、前記支持ユニット（４、４’、４０００、４００）の前記旋回式端部部分（４３３、４３３０）が前記中間スライダ部材（３２、３２００、３２００”、３０２）に旋回可能に接続されることをさらに特徴とする、請求項７に記載のステッキチェア。
【請求項１１】
前記位置決めユニット（３、６０、３００）が、前記突き当たり部材（３１、３１”、３１０、３１０’、６１’、６１０、９０、３０１）に向けて前記中間スライダ部材（３２、３２００、６２’、３２００”、３０２）を一方に片寄らせるために、前記中間スライダ部材（３２、３２００、６２’、３２００”、３０２）および前記ロッド本体（１０）の間に接続された弾性部材（３３）をさらに含むことをさらに特徴とする、請求項４に記載のステッキチェア。
【請求項１２】
前記シートユニット（２、２００’、２０００、２００”、２００）が、前記足部分（１２）に向けて前記上部スライダ部材（２１、２１０’、２１００、２１０”、２０１）を一方に片寄らせるために、前記上部スライダ部材（２１、２１０’、２１００、２１０”、２０１）および前記ロッド本体（１０）の間に接続された弾性部材（２４）をさらに含むことを特徴とする、請求項２に記載のステッキチェア。
【請求項１３】
前記ロッド本体（１０）が、前記ロッド本体（１０）の長手方向に前記ロッド本体（１０）の外面内に伸びる溝（１８１、１８２、１８３、１８４）を備えて形成されることを特徴とする、請求項１に記載のステッキチェア。
【請求項１４】
前記上部スライダ部材（２１、２１０’、２１００、２１０”、２０１）が、前記溝（１８２）とスライド可能にかみ合うガイドブロック（２１３）を有することをさらに特徴とする、請求項１３に記載のステッキチェア。
【請求項１５】
前記支持ユニット（４、４’、４”、４００’、４０００、４００”、７”、７０、４００）が、上脚部構成要素（４３、７３’、７１０）および下脚部構成要素（４４、４４’、４４”、４４０’、７２０）を有する少なくとも１つの支持脚部（４１、４１”、４１０’、４１００、４１０”、７１’）を含み、前記上脚部構成要素（４３、７３’、７１０）が前記旋回式端部部分（４３３、４３３’、４３３０、４３３”、７３３”）を有し、前記下脚部構成要素（４４、４４’、４４”、４４０’、７２０）が前記固定されていない端部部分（４４１）を有し、前記旋回式端部部分（４３３、４３３’、４３３”）の反対側に前記上脚部構成要素（４３、７３’、７１０）に旋回可能に接続され、前記連結部材（５１、５１’、５１”、５１０’、５１０”、８１’）の前記駆動される部分が、前記上部スライダ部材（２１、２１０’、２１００、２１０”、２０１）の一方および前記シート部材（２２、２２０’、２２００、２２０”、２２００”、８１、２０２）に旋回可能に接続され、前記連結部材（５１、５１’、５１”、５１０’、５１００、５１０”、８１’）の前記駆動する部分が、前記旋回式端部部分（４３３、４３３’、４３３０、４３３”、７３３”）および前記下脚部構成要素（４４、４４’、４４”、４４０’、７２０）の間の旋回中心点で前記上脚部構成要素（４３、７３’、７１０）に旋回可能に接続されることを特徴とする、請求項２に記載のステッキチェア。
【請求項１６】
前記支持ユニット（４’、４”、４００’、４０００、４００”）が、前記上脚部構成要素（４３）に実質的に平行であり、かつ一方の端部を前記連結部材（５１’、５１”、５１０’、５１００、５１０”）の前記駆動する部分に旋回可能に接続され、反対側の端部を前記下脚部構成要素（４４’、４４”、４４０’）に旋回可能に接続された副脚部構成要素（４３２’、４３２”、４３６’）をさらに含むことをさらに特徴とする、請求項１５に記載のステッキチェア。
【請求項１７】
前記支持ユニット（４、７０、４００）が、上脚部構成要素（４３、７１０）および下脚部構成要素（４４、７２０）を有する少なくとも１つの支持脚部（４１）を含み、前記上脚部構成要素（４３、７１０）が前記旋回式端部部分（４３３）を有し、前記下脚部構成要素（４４、７２０）が、前記固定されていない端部部分（４１４）を有し、前記旋回式端部部分（４３３）の反対側で前記上脚部構成要素（４３、７１０）に旋回可能に接続され、前記連結部材（５１）の前記駆動される部分が前記シートユニット（２、２００）に旋回可能に接続され、前記連結部材（５１）の前記駆動する部分が、前記旋回式端部部分（４３３）および前記下脚部構成要素（４４、７２０）の間の旋回中心点で前記上脚部構成要素（４３、７１０）に旋回可能に接続され；
前記位置決めユニット（３、６０、３００）が、
前記ロッド本体（１０）にスライド可能に接続され、かつ前記中間スライダ部材（３２、３２００”、３０２）および前記足部分（１２）の間に配置された下部スライダ部材（１９、１９０、１９００）、および
前記下部スライダ部材（１９、１９０、１９００）および前記中間スライダ部材（３２、３２００”、３０２）を共に移動可能に相互接続する接続ロッド（１９１）
をさらに含み；
前記支持ユニット（４、４００）が、両端部を前記下部スライダ部材（１９、１９０、１９００）および前記下脚部構成要素（４４）に旋回可能にそれぞれ接続された補助連結（４２）をさらに含む
ことをさらに特徴とする、請求項４に記載のステッキチェア。
【請求項１８】
前記位置決めユニット（６０、３００）の前記突き当たり部材（６１０、３０１）が、前記ロッド本体（１０）の外面から突き出るブロックとして構成され、前記下部スライダ部材（１９０、１９００）が前記ロッド本体（１０）の前記外面に隣接する通過溝（１９２）を有し、前記上部スライダ部材（２１、２０１）が前記主要な杖（１）の前記ハンドル部分（１１）に向けて移動するとき、前記通過溝（１９２）が前記突き当たり部材（６１０、３０１）を通り越して、前記下部スライダ部材（１９０、１９００）が前記突き当たり部材（６１０、３０１）を越えてスライドすることが可能になることをさらに特徴とする、請求項１７に記載のステッキチェア。
【請求項１９】
前記連結部材（５１、５１”、５１０、５１０’、５１００、５１０”、８１、８１’）が、前記駆動される部分の役割を果たし、かつ前記シートユニット（２、２００’、２０００、２００”、２００）まで旋回される上端、および前記駆動する部分の役割を果たし、かつ前記旋回式端部部分（４３３、４３３’、４３３”、７１２、７３３”）、および前記支持ユニット（４、４”、４００’、４０００、４００”、７、７”、７０、４００）の前記固定されていない端部部分（４４１、７１１）の間の旋回中心点で前記支持ユニット（４、４”、４００’、４０００、４００”、７、７”、７０、４００）まで旋回される下端（５１１、５１１”）を有し、前記連結部材（５１、５１”、５１０、５１０’、５１００、５１０”、８１、８１’）の長さが、前記連結部材（５１、５１”、５１０、５１００、５１０”、８１、８１’）の前記下端（５１１、５１１”）、および前記支持ユニット（４、４”、４００’、４０００、４００”、７、７”、７０、４００）の前記旋回式端部部分（４３３、４３３’、４３３０、４３３”、７１２、７３３”）の間の距離より大きいことを特徴とする、請求項２に記載のステッキチェア。
【請求項２０】
前記位置決めユニット（６”）が、
前記ロッド本体（１０）にスライド可能に接続され、かつ一方が他方の上に、前記突き当たり部材（６１”）および前記上部スライダ部材（２１）の間に配置された１対の中間スライダ部材（６２１”、６２２”）をさらに含み、前記連結セット（２３）、および前記支持ユニット（７”）の前記旋回式端部部分（７３３”）が、前記中間スライダ部材（６２１”、６２２”）に旋回可能にそれぞれ接続され、前記上部スライダ部材（２１）が前記第２の位置にあるとき、前記中間スライダ部材（６２１”、６２２”）の下部の一方が前記突き当たり部材（６１”）に接し、前記中間スライダ部材（６２１”、６２２”）の上部の一方が前記中間スライダ部材（６２１”、６２２”）の前記下部の一方に接する
ことをさらに特徴とする、請求項５に記載のステッキチェア。
【請求項２１】
前記位置決めユニット（６”）が、前記突き当たり部材（６１”）に向けて前記中間スライダ部材（６２１”、６２２”）の上部の一方を一方に片寄らせるために、前記中間スライダ部材（６２１”、６２２”）の前記上部の一方および前記ロッド本体（１０）の間に接続された弾性部材（６２３”）をさらに含むことをさらに特徴とする、請求項２０に記載のステッキチェア。
【請求項２２】
前記連結部材（５１、５１０）の前記駆動される部分が、前記上部スライダ部材（２１、２０１）の一方および前記シート部材（２２、２２０、２２００”、８１、２０２）に旋回可能に接続され；
前記支持ユニット（４、７”、７０、４００）が、少なくとも１つの支持脚部（４１）の両端部に前記旋回式端部部分（４３３、７３３”）および前記固定されていない端部部分（４４１）をそれぞれ提供された前記少なくとも１つの支持脚部（４１）を含み；
前記位置決めユニット（３、６”、６０、３００）が、前記ロッド本体（１０）にスライド可能に接続され、かつ前記上部スライダ部材（２１、２０１）および前記足部分（１２）の間に配置された下部スライダ部材（１９、１９０、１９００）をさらに含み；
前記支持ユニット（４、７”、７０、４００）が、両端部を前記下部スライダ部材（１９、１９０、１９００）および前記支持脚部（４１）に旋回可能にそれぞれ接続された補助連結（４２）をさらに含む
ことを特徴とする、請求項２に記載のステッキチェア。
【請求項２３】
前記シートユニット（２、２００’、２０００、２００”）が１対の連結セット（２３、２３”、２３０、２３０”、２３００”）をさらに含み、前記１対の連結セット（２３、２３”、２３０、２３０”、２３００”）の各々が、前記シート部材（２２、２２０、２２０’、２２００、２２０”、２２００”）および前記位置決めユニット（３、３００”、６”、６０）の間に配置され、かつ前記シート部材（２２、２２０、２２０’、２２００、２２０”、２２００”）および前記位置決めユニット（３、３００”、６”、６０）に旋回可能に接続され、前記上部スライダ部材（２１、２１０’、２１００、２１０”）が前記第１の位置に移動させられるとき、前記連結セット（２３、２３”、２３０、２３０”、２３００”）が前記ロッド本体（１０）に向かって旋回し、前記上部スライダ部材（２１、２１０’、２１００、２１０”）が前記第２の位置に動作させられるとき、前記連結セット（２３、２３”、２３０、２３０”、２３００”）が前記ロッド本体（１０）から離れて旋回し、前記連結部材（５１、５１’、５１”、５１０、５１０’、５１００、５１０”）の前記駆動される部分が、前記上部スライダ部材（２１、２１０’、２１００、２１０”）の一方および前記シート部材（２２、２２０、２２０’、２２００、２２０”、２２００”）に旋回可能に接続されることを特徴とする、請求項２に記載のステッキチェア。
【請求項２４】
前記シート部材（２０２）が織物から作られる；および
前記シートユニット（２００）が、
両端部を前記シート部材（２０２）および前記位置決めユニット（３００）にそれぞれ接続された支持バー（２０４）、および
両端部を、前記支持バー（２０４）の前記両端部および前記上部スライダ部材（２０１）の間の旋回中心点で前記支持バー（２０４）にそれぞれ旋回可能に接続された駆動バー（２０５）
を含む連結セット（２０３）をさらに含む
ことを特徴とする、請求項２に記載のステッキチェア。
【請求項２５】
前記シート部材（２２、２２０、２２０’、２２００、２２０”、２２００”、８１）が前記上部スライダ部材（２１、２１０’、２１００、２１０”）に旋回可能に接続され、前記連結セット（２３、２３”、２３０、２３０”、２３００”、８０）が前記シート部材（２２、２２０、２２０’、２２００、２２０”、２２００”、８１）に旋回可能に接続されることをさらに特徴とする、請求項５に記載のステッキチェア。
【発明の詳細な説明】
【技術分野】
【０００１】
（関連出願の相互参照）
本出願は、２０１２年８月１日に出願の台湾出願第１０１１２７８４１号明細書、２０１２年８月１日に出願の台湾出願第１０１１２７８３７号明細書、および２０１２年１２月１７日に出願の台湾出願第１０１１４７７９７号明細書の優先権を主張する。
【０００２】
本発明は、ステッキに関し、より詳細にはステッキおよびチェアの間で切り換えられる、折りたたみ式ステッキチェアに関する。
【背景技術】
【０００３】
高齢者は身体的健康状態が劣る。通常、高齢者はステッキを使って歩き、一定の期間歩いた後、休息する必要がある。台湾実用新案特許第２７７２３９号明細書が、主要な杖、脚部ユニットおよびシートユニットを含む従来の折りたたみ式ステッキチェアを開示している。主要な杖が、ハンドル部分、およびハンドル部分と反対側の足部分を有する。脚部ユニットが、はさみのような構造を形成するために旋回中心点で主要な杖に旋回可能に接続され、支持端部、および支持端部と反対側の接続端部を有する。シートユニットが、スライダクランク機構を形成するために、ハンドル部分および旋回中心点の間に主要な杖にスライド可能に接続されたスライダ部材、ならびにスライダ部材および脚部ユニットの接続端部に旋回可能に接続されたシートプレートを含む。
【０００４】
従来のステッキチェアをチェアとして利用するために広げるとき、主要な杖および脚部ユニットが角度を形成し、脚部ユニットの支持端部が、ステッキチェア全体を支持するために、主要な杖の足部分と協力し、シートプレートが水平となり、主要な杖と角度を形成する。従来のステッキチェアをステッキとして利用するために折りたたむとき、スライダ部材がハンドル部分に向かって上方に移動させられ、シートプレートが、主要な杖に近接するようにスライダ部材に対して下方に旋回し、脚部ユニットが主要な杖に向かって旋回して、脚部ユニットおよび主要な杖の間の角度を狭める。折りたたまれた状態で、脚部ユニットの支持端部が地面から持ち上げられる。
【０００５】
折りたたまれた状態および広げられた状態の間で動作可能であるにもかかわらず、上述のステッキチェアには欠点がいくつかある：
１．ステッキチェアが、折りたたまれた状態でステッキの役割を果たすとき、脚部ユニットの支持端部が依然として地面の近傍にある。地面が平坦ではない場合、支持端部が地面の突出部に当たることがある。さらに、脚部ユニットがＸ字型であるので、利用者が、従来のステッキチェアをステッキとして使用するとき、脚部ユニットに簡単につまずくことがある。
２．折りたたまれた状態では、ステッキチェアの重心がハンドル部分から遠位にあるので、その結果、ステッキチェアが、ステッキとして使用されるとき、利用者にとって骨が折れる。
【０００６】
米国特許第３９９９５６５号明細書、第２３８０４３７号明細書および第７６１４４１４号明細書が、上述のステッキチェアに類似する欠点を有する。
【先行技術文献】
【特許文献】
【０００７】
【特許文献１】台湾出願第１０１１２７８４１号明細書
【特許文献２】台湾出願第１０１１２７８３７号明細書
【特許文献３】台湾出願第１０１１４７７９７号明細書
【特許文献４】台湾実用新案特許第２７７２３９号明細書
【特許文献５】米国特許第３９９９５６５号明細書
【特許文献６】米国特許第２３８０４３７号明細書
【特許文献７】米国特許第７６１４４１４号明細書
【発明の概要】
【発明が解決しようとする課題】
【０００８】
したがって、本発明の目的が、ステッキの役割を果たすとき、労力を節約し、かつ安全なステッキチェアを提供することである。
【課題を解決するための手段】
【０００９】
したがって、本発明のステッキチェアが：
主要な杖であって、
両端にある上端および下端を有する細長いロッド本体、
ロッド本体の上端に接続されたハンドル部分、および
ロッド本体の下端に接続された足部分
を有する主要な杖；
シートユニットであって、
ロッド本体にスライド可能に接続され、かつ第１の位置および第２の位置の間でロッド本体に沿って移動可能な上部スライダ部材であって、第２の位置がハンドル部分から遠位にあり、第１の位置がハンドル部分および第２の位置の間に配置された上部スライダ部材、および
上部スライダ部材に接続されたシート部材
を含むシートユニット；
シートユニットの上部スライダ部材の下でロッド本体に旋回可能に接続された旋回式端部部分、および旋回式端部部分と反対側の固定されていない端部部分を有する支持ユニット；ならびに
支持ユニットおよびシートユニットの間に配置され、支持ユニットおよびシートユニットに旋回可能に接続された連結ユニット
を備え；
上部スライダ部材が第２の位置にあるとき、シート部材が、シート部材およびロッド本体が角度を形成する、広げられた状態にあり、支持ユニットが、支持ユニットの固定されていない端部部分がロッド本体から離れ、かつ地面と接触させるために足部分と協力する、広げられた状態にあり；
上部スライダ部材が第２の位置から第１の位置に、上方に移動するとき、シート部材がロッド本体に向けて折りたたまれた状態に移動し、連結ユニットが上方に移動して、支持ユニットを作動させて、固定されていない端部部分がロッド本体に近接する、折りたたまれた状態まで上方に旋回するように駆動される。
【００１０】
本発明の他の特徴および利点が、添付図面を参照して、好ましい実施形態の以下の詳細な説明で明らかになるであろう。
【図面の簡単な説明】
【００１１】
【図１】広げられた状態にある、本発明によるステッキチェアの第１の好ましい実施形態の斜視図である。
【図２】広げられた状態にある第１の好ましい実施形態の側面図である。
【図３】図２の線ＩＩＩ−ＩＩＩに沿って得られた、第１の好ましい実施形態の断片的な部分断面図である。
【図４】図２の線ＩＶ−ＩＶに沿って得られた、第１の好ましい実施形態の断片的な断面図である。
【図５】折りたたまれ始めた第１の好ましい実施形態の他の側面図である。
【図６】折りたたまれている過程の第１の好ましい実施形態の他の側面図である。
【図７】折りたたまれた状態にある第１の好ましい実施形態の他の側面図である。
【図８】折りたたまれた状態にある第１の好ましい実施形態の拡大された断片的な斜視図である。
【図９】折りたたまれた状態にある第１の好ましい実施形態の斜視図である。
【図１０】折りたたまれた状態にある第１の好ましい実施形態のさらに他の側面図である。
【図１１】第１の好ましい実施形態の一変形形態の側面図である。
【図１２】第１の好ましい実施形態の他の変形形態の側面図である。
【図１３】本発明による第２の好ましい実施形態の側面図である。
【図１４】本発明による第３の好ましい実施形態の側面図である。
【図１５】本発明による第４の好ましい実施形態の側面図である。
【図１６】第４の好ましい実施形態の一変形形態の側面図である。
【図１７】本発明による第５の好ましい実施形態の側面図である。
【図１８】本発明による第６の好ましい実施形態の側面図である。
【図１９】本発明による第７の好ましい実施形態の側面図である。
【図２０】本発明による第８の好ましい実施形態の側面図である。
【図２１】本発明による第９の好ましい実施形態の側面図である。
【図２２】第９の好ましい実施形態の一変形形態の側面図である。
【図２３】広げられた状態にある第１の好ましい実施形態のさらに他の変形形態の斜視図である。
【図２４】折りたたまれた状態にある、図２３で示される好ましい実施形態の他の斜視図である。
【図２５】広げられた状態にある、本発明による第１０の好ましい実施形態の斜視図である。
【図２６】広げられた状態にある、本発明による第１１の好ましい実施形態の斜視図である。
【図２７】広げられた状態にある、第１１の好ましい実施形態の側面図である。
【図２８】折りたたまれた状態にある、第１１の好ましい実施形態の斜視図である。
【発明を実施するための形態】
【００１２】
図１および図２に示されるように、本発明によるステッキチェアの第１の好ましい実施形態が、主要な杖１、シートユニット２、位置決めユニット３、支持ユニット４および連結ユニット５を備える。
【００１３】
主要な杖１が、両端にある上端および下端を有する細長いロッド本体１０、ロッド本体１０の上端に接続された鈎形のハンドル部分１１、にロッド本体１０の下端に接続された足部分１２、ロッド本体１０の外面内に形成され、かつロッド本体１０の長手方向に伸びる、角度で間隔をあけた複数の溝１８１、１８２、１８３、１８４（図４を参照のこと）を有する。
【００１４】
図３および図４に示されるように、ロッド本体１０が管状であり、溝１８１、１８２、１８３、１８４の深さより薄い厚さでロッド本体の壁により形成される。ロッド本体１０が、中央の空間１３、空間的にそれぞれ中央の空間１３および２つの溝１８２、１８４に通じており、かつハンドル部分１１に近接して形成された１対の上部貫通穴１４、および空間的にそれぞれ中央の空間１３および２つの溝１８２、１８４に通じており、かつ上部貫通穴１４の下方に形成された１対の下部貫通穴１６を有する。主要な杖１が、ロッド本体１０内に配置され、かつ上部貫通穴１４を通して引っ込められるようにそれぞれ突き出る１対の上部突起１５１を有する上部弾性弓形部材１５、およびロッド本体１０内に配置され、かつ下部貫通穴１６を通して引っ込められるようにそれぞれ突き出る１対の下部突起１７１を有する下部弾性弓形部材１７を有する。溝１８１、１８２、１８３、１８４の構造がロッド本体１０の構造強度を高める。
【００１５】
シートユニット２が、ロッド本体１０にスライド可能に接続された上部スライダ部材２１、上部スライダ部材２１に旋回可能に接続されたシート部材２２、および足部分１２に向けて上部スライダ部材２１を一方に片寄らせるために、上部スライダ部材２１およびロッド本体１０の間に接続された弾性部材２４を含む。上部スライダ部材２１が、第１の位置（図６を参照のこと）および第２の位置（図２を参照のこと）の間をロッド本体１０に沿って移動可能である。第２の位置がハンドル部分１１から遠位にあり、第１の位置がハンドル部分１１および第２の位置の間に配置される。上部スライダ部材２１がロッド本体１０上にスリーブで接続され、ロッド本体１０に対して上部スライダ部材２１を配置するために、上部突起１５１を伸ばすための、ロッド本体１０の２つの溝１８２、１８４に角度位置で対応する１対の貫通穴２１１を有する。上部スライダ部材２１が、スライド可能にそれぞれ貫通穴２１１内に取り付けられ、かつ上部突起１５１を内側に向かって押すように動作可能な１対のボタン部材２１２をさらに有し、第１および第２の位置の間で上部スライダ部材２１の移動を可能にするように、貫通穴２１１から上部突起１５１を離す。ロッド本体１０に対して上部スライダ部材２１が回転するのを防止するために、上部スライダ部材２１が、溝１８２とスライド可能にかみ合うガイドブロック２１３をさらに有する。弾性部材２４が他の溝１８３内に配置される。
【００１６】
シート部材２２が、主板２２１、および主板２２１の反対側の側縁にそれぞれ接続され、かつ主板２１１に対して折りたたまれた状態（図９を参照のこと）まで旋回可能な１対の側板２２２を含む。
【００１７】
この実施形態では、位置決めユニット３が、上部スライダ部材２１の下でロッド本体１０に固定されて接続された突き当たり部材３１、ロッド本体１０にスライド可能に接続され、かつ突き当たり部材３１および上部スライダ部材２１の間に配置された中間スライダ部材３２、ならびに中間スライダ部材３２を突き当たり部材３１に向けて一方に片寄らせるために、中間スライダ部材３２およびロッド本体１０の間に接続された弾性部材３３を含む。中間スライダ部材３２が、ロッド本体１０に対して中間スライダ部材３２が回転するのを制限するために、溝１８４とスライド可能にかみ合うガイドブロック３２１を有する。弾性部材３３が溝１８１内に配置される。位置決めユニット３が、ロッド本体１０にスライド可能に接続され、かつ中間スライダ部材３２および足部分１２の間に配置された下部スライダ部材１９、ならびに溝１８４内にスライド可能に配置され、かつ下部スライダ部材１９および中間スライダ部材３２を共に移動可能に相互接続する接続ロッド１９１をさらに含む。
【００１８】
シートユニット２が１対の連結セット２３をさらに含み、１対の連結セット２３の各々が、シート部材２２および位置決めユニット３の間に配置され、シート部材２２および位置決めユニット３に旋回可能に接続される。この実施形態では、連結セット２３の各々が、第１、第２および第３のバー２３１、２３２、２３３を含む。各連結セット２３について、第１のバー２３１が、一方の端部をシート部材２２に旋回可能に接続され、もう一方の端部を第２のバー２３２の一方の端部に旋回可能に接続され、第２のバー２３２が、もう一方の端部を中間スライダ部材３２に旋回可能に接続され、第３のバー２３３が、両端部を第２のバー２３２および上部スライダ部材２１に旋回可能にそれぞれ接続される。
【００１９】
支持ユニット４が、上脚部構成要素４３および下脚部構成要素４４をそれぞれ有する、１対の支持脚部４１を含む。上脚部構成要素４３が、旋回式端部部分４３３を中間スライダ部材３２に旋回可能に接続され、下脚部構成要素４４が、固定されていない端部部分４４１、および旋回式端部部分４３３の反対側にある、上脚部構成要素４３の反対側の端部部分４３４に、旋回可能に接続された反対側の端部部分を有する。支持ユニット４が１対の補助連結４２をさらに含み、１対の補助連結４２の各々が、端部を下部スライダ部材１９に旋回可能に接続され、反対側の端部を下脚部構成要素４４のそれぞれの一方に旋回可能に接続される。
【００２０】
連結ユニット５が、支持ユニット４およびシートユニット２の間に配置され、支持ユニット４およびシートユニット２に旋回可能に接続される。この実施形態では、連結ユニット５が１対の連結部材５１を含み、１対の連結部材５１の各々が、上部スライダ部材２１に旋回可能に接続された駆動される部分の役割を果たす端部、および支持脚部４のそれぞれの一方の上脚部構成要素４３に旋回可能に接続された駆動する部分の役割を果たす反対側の端部５１１を有する。連結部材５１の各々が、対応する旋回式端部部分４３３および対応する下脚部構成要素４４の間の旋回中心点でそれぞれの上脚部構成要素４３に接続される。連結部材５１の各々が、旋回中心点およびそれぞれの上脚部構成要素４３の旋回式端部部分４３３の間の距離より長い長さを有する。
【００２１】
上部スライダ部材２１が第２の位置にあって、下部弾性弓形部材１７の下部突起１７１が上部スライダ部材２１の貫通穴２１１の中にそれぞれ伸びるとき、シート部材２２が、シート部材２２およびロッド本体１０が角度を形成し、かつ主板２２１および側板２２２が平板を形成する広げられた状態にあり、中間スライダ部材３２が突き当たり部材３１に接し、支持脚部４１が、固定されていない端部部分４４１が主要な杖１のロッド本体１０から離れ、かつ地面と接触させるために主要な杖１の足部分１２と協力する、広げられた状態にある（すなわち、ステッキチェアが広げられた状態にあり、図１および図２を参照のこと）。
【００２２】
この実施形態のステッキチェアがチェアの役割を果たすとき、上部スライダ部材２１が第２の位置にあり、上部スライダ部材２１の貫通穴２１１が、下部弾性弓形部材１７の下部突起１７１とそれぞれかみ合う。ステッキチェアを折りたたむためには、図５および図６に示されるように、上部スライダ部材２１の貫通穴２１１から下部突起１７１を取り外すために、上部スライダ部材２１のボタン部材２１２が押され、その結果、上部スライダ部材２１が、弾性部材２４に対して上方に向けて移動することが可能になる。弾性部材３３が中間スライダ部材３２を突き当たり部材３１に向けて一方に片寄らせ、かつ接続ロッド１９１が中間スライダ部材３２および底部スライダ部材１９を共に移動可能に相互接続するので、上部スライダ部材２１が第２の位置から第１の位置に、上方に移動させられたとき、中間スライダ部材３２および底部スライダ部材１９および接続ロッド１９１が、弾性部材３３により一時的に固定されて保持される。上部スライダ部材２１が上述のように上方へ移動する間に、各第３のバー２３３が、上方に移動するように駆動され、対応する第２のバー２３２を駆動して、上方に旋回させ、したがって、対応する第２のバー２３２が、対応する第１のバー２３１を駆動して、第１のバー２３１に対して相対的に下方に旋回させ、したがって、シート部材２２を駆動して、下方に、ロッド本体１０に向けて旋回させて、折りたたまれた状態に移動させる。一方、連結セット２３が、折りたたまれた状態に変換し、連結部材５１が、上方に移動して、上脚部構成要素４３を作動させて、上方に旋回するように上部スライダ部材２１により駆動され、固定されていない端部部分４４１がロッド本体１０に近接する（図６を参照のこと）、折りたたまれた状態に支持脚部４１が変換するように、補助連結４２が下脚部構成要素４４を作動させて、下方に旋回する。
【００２３】
シート部材２２、連結セット２３および支持脚部４１が自身の折りたたまれた状態に駆動された後、上部スライダ部材２１が、第１の位置から最も高い位置（図７〜図１０を参照のこと）にさらに移動させられることができ、シート部材２２、連結セット２３、中間スライダ部材３２、支持ユニット４および連結ユニット５を駆動して、これらと共に上方に移動して、それにより、この実施形態のステッキへの変換を完了する（すなわち、ステッキチェアが折りたたまれた状態にあり、図７〜図１０を参照のこと）。その結果、ステッキチェアの重心が、ハンドル部分１１に比較的近接する。
【００２４】
要約すると、第１の好ましい実施形態がステッキの役割を果たすために折りたたまれた状態にあるとき、ステッキの重心がハンドル部分１１に近接するので、このようなステッキを使って歩くことが、利用者にとって労力節約になる。一方、折りたたまれたときに、支持脚部４１が上方に旋回するので、支持脚部４１が折りたたまれた状態にあるとき、固定されていない端部部分４４１がロッド本体１０に近接し、足部分１２から離れる。したがって、固定されていない端部部分４４１が地面の突出部に当たることがなく、利用者が支持脚部４１につまずくことがない。
【００２５】
図１１は、接続ロッド１９１、下部スライダ部材１９および補助連結４２が省かれた、第１の好ましい実施形態の一変形形態を示す。
【００２６】
図１２を参照すると、第１の好ましい実施形態の他の変形形態が、同じく第１の好ましい実施形態における接続ロッド１９１、下部スライダ部材１９および補助連結４２を省く。連結ユニット５’の各連結部材５１’が、駆動される部分の役割を果たし、かつ上部スライダ部材２１に接続された一方の端部、一方の端部の反対側にある反対側の端部５１２’ならびに上脚部構成要素４３のそれぞれの一方に旋回可能に接続された、一方の端部および反対側の端部５１２’の間にある中間部分５１１’を有する。中間部分５１１’および反対側の端部５１２’が、駆動する部分の役割を果たす。支持ユニット４’が、１対の副脚部構成要素４３２’をさらに含む。副脚部構成要素４３２’の各々が、上脚部構成要素４３のそれぞれの一方と実質的に平行であり、一方の端部を連結部材５１’の対応する一方の反対側の端部５１２’に旋回可能に接続され、反対側の端部を下脚部構成要素４４’の対応する一方に旋回可能に接続される。一方の連結部材５１’、一方の上脚部構成要素４３、一方の下脚部構成要素４４’および一方の副脚部構成要素４３２’だけが図１２で見えることに留意されたい。上部スライダ部材２１が第２の位置から第１の位置に、上方に移動させられたとき、各連結部材５１’が上方に移動するように駆動され、対応する上脚部構成要素４３を駆動して、上方に旋回し、同時に、連結部材５１’の反対側の端部５１２’が、対応する下脚部構成要素４４’を駆動して、対応する副脚部構成要素４３２’を介して、折りたたまれた状態まで下方に旋回する。
【００２７】
図１３を参照すると、本発明の第２の好ましい実施形態が、接続ロッド１９１、下部スライダ部材１９および補助連結４２が省かれているという点、および連結セット２３”の各々が、両端部をシート部材２２”および突き当たり部材３１”に旋回可能にそれぞれ接続された単一バーとして構成されるという点で、第１の好ましい実施形態と異なる。連結ユニット５”の連結部材５１”の各々が、駆動される部分の役割を果たし、かつ上部スライダ部材２１に接続された一方の端部、一方の端部の反対側にあり、かつ上脚部構成要素４３のそれぞれの一方に旋回可能に接続された反対側の端部５１１”、ならびに一方の端部および反対側の端部５１１”の間にある中間部分５１２”を有する。中間部分５１２”および反対側の端部５１１”が、駆動する部分の役割を果たす。支持ユニット４”が、１対の副脚部構成要素４３２”をさらに含む。各副脚部構成要素４３２”が、上脚部構成要素４３のそれぞれの一方と実質的に平行であり、一方の端部を、対応する連結部材５１”の中間部分５１２”に旋回可能に接続され、他方の端部を、対応する支持脚部４１”の下脚部構成要素４４”に旋回可能に接続される。上部スライダ部材２１に接続された連結部材５１”の端部部分が、シートユニット２のシート部材２２に接続されてもよい。
【００２８】
図１４を参照すると、本発明の第３の好ましい実施形態が、連結セット２３０の各々が、両端部をシート部材２２０および突き当たり部材３１０に旋回可能にそれぞれ接続された単一バーとして構成されるという点、および各連結部材５１０が、それぞれの上脚部構成要素４３０およびシート部材２２０の間に旋回可能に接続されるという点で、第１の好ましい実施形態と異なる。
【００２９】
図１５を参照すると、本発明による第４の好ましい実施形態が、第１の好ましい実施形態における接続ロッド１９１、下部スライダ部材１９および補助連結４２を省く。支持ユニット４００’の各支持脚部４１０’の旋回式端部部分４３３’が、突き当たり部材３１０’に旋回可能に接続される。支持ユニット４００’が、１対の副脚部構成要素４３６’をさらに含む。各副脚部構成要素４３６’が、一方の端部を連結ユニット５００’のそれぞれの連結部材５１０’に旋回可能に接続され、他方の端部をそれぞれの下脚部構成要素４４０’に旋回可能に接続される。この実施形態では、上部スライダ部材２１０’に接続された連結部材５１０’の各々の端部が、シートユニット２００’のシート部材２２０’に接続されてもよい。
【００３０】
図１６を参照すると、第４の好ましい実施形態の一変形形態が、支持ユニット４０００の各支持脚部４１００の旋回式端部部分４３３０が、中間スライダ部材３２００に旋回可能に接続されることを示す。この実施形態では、上部スライダ部材２１００に接続された連結部材５１００の各々の端部が、シートユニット２０００のシート部材２２００に接続されてもよい。
【００３１】
図１７を参照すると、本発明による第５の好ましい実施形態が、単に突き当たり部材３１０”を含む位置決めユニット３００”を含む。各連結セット２３０”が、突き当たり部材３１０”およびシートユニット２００”のシート部材２２０”の間に旋回可能に接続される。支持ユニット４００”の各支持脚部４１０”の旋回式端部部分４３３”が、突き当たり部材３１０”に旋回可能に接続される。この実施形態では、シートユニット２００”のシート部材２２０”に接続された連結部材５１０”の各々の端部が、上部スライダ部材２１０”に接続されてもよい。
【００３２】
図１８は、本発明による第６の好ましい実施形態を示す。支持ユニット７の支持脚部７１の各々が単一バーとして構成され、位置決めユニット６の突き当たり部材６１に旋回可能に接続された旋回式端部部分７１２の役割を果たす一方の端部、および地面と接触させるための固定されていない端部部分７１１の役割を果たす反対側の端部を有する。連結ユニット８の各連結部材８１が単一バーとして構成され、シート部材２２、および支持脚部７１のそれぞれの一方の間に旋回可能に接続される。この実施形態では、連結ユニット８が、シート部材２２を支持する際、および支持ユニット７の移動を駆動する際に機能する。
【００３３】
図１９は、本発明による第７の好ましい実施形態を示す。位置決めユニット６’が、突き当たり部材６１’および中間スライダ部材６２’を含む。各支持脚部７１’の上脚部構成要素７３’が、中間スライダ部材６２’に接続される。連結ユニット８’の各連結部材８１’が単一バーとして構成され、シート部材２２および下脚部構成要素７３’の間に旋回可能に接続される。
【００３４】
図２０を参照すると、本発明による第８の好ましい実施形態が、各連結セット２３００’が、両端部をシート部材２２００’および中間スライダ部材３２００’に旋回可能にそれぞれ結合された単一バーとして構成されるという点で、第１の好ましい実施形態と異なる。
【００３５】
図２１および図２２を参照すると、本発明による第９の好ましい実施形態およびその一変形形態が、第１の好ましい実施形態に類似する。違いは、この実施形態では、位置決めユニット６”が、突き当たり部材６１”、ロッド本体１０にスライド可能に接続され、かつ一方が他方の上に、突き当たり部材６１”および上部スライダ部材２１の間に配置された１対の中間スライダ部材６２１”、６２２”、ならびに中間スライダ部材６２２”の上部の一方を突き当たり部材６１”に向けて一方に片寄らせるために、中間スライダ部材６２２”の上部の一方およびロッド本体１０の間に接続された弾性部材６２３”を含むことである。連結セット２３、および支持ユニット７”の旋回式端部部分７３３”が、中間スライダ部材６２１”、６２２”に旋回可能にそれぞれ接続される。上部スライダ部材２１が第２の位置にあるとき、中間スライダ部材６２１”の下部の一方が、突き当たり部材６１”に接し、中間スライダ部材６２２”の上部の一方が、中間スライダ部材６２１”の下部の一方に接する。
【００３６】
図２３は、第１の好ましい実施形態のさらに他の変形形態を示し、第１の好ましい実施形態およびさらに他の変形形態の違いが、位置決めユニット６０の突き当たり部材６１０が、ロッド本体１０の外面から突き出るブロックとして構成されることである。下部スライダ部材１９０が、ロッド本体１０の外面に隣接する通過溝１９２を有する。図２４に示されるように、上部スライダ部材２１が最も高い位置にあるとき、突き当たり部材６１０が下部スライダ部材１９０の下になるように、上部スライダ部材２１が第２の位置から最も高い位置に移動するときに、通過溝１９２が、突き当たり部材６１０を通り越して、下部スライダ部材１９０が突き当たり部材６１０の上にスライドすることが可能になる。
【００３７】
ここまでは、この発明の実施形態の各々が１対の支持脚部を有する。しかしながら、図２５に示されるように、この発明の第１０の好ましい実施形態が、シート部材８１および突き当たり部材９０に旋回可能に接続された単一バーとして構成された１つだけの連結セット８０、ならびにただ１つの上脚部構成要素７１０、および上脚部構成要素７１０に旋回可能に接続された、二またに分かれた下脚部構成要素７２０を有する支持ユニット７０を含む。
【００３８】
図２６〜図２８を参照すると、本発明の第１１の好ましい実施形態が、図２３に示される第１の好ましい実施形態の変形形態に類似する。異なるのは、シートユニット２００のシート部材２０２が織物（たとえばキャンバス地）から作られ、上部スライダ部材２０１に固定して接続されること、および連結セット２０３の各々が支持バー２０４および駆動バー２０５を含むことである。連結セット２０３の各々の支持バー２０４は、両端部をシート部材２０２、および位置決めユニット３００の中間スライダ部材３０２にそれぞれ接続される。連結セット２０３の各々の駆動バー２０５は、両端部を、対応する支持バー２０４の両端部および上部スライダ部材２０１の間の旋回中心点で、対応する支持バー２０４にそれぞれ旋回可能に結合される。上部スライダ部材２０１が第２の位置から第１の位置に移動するとき、支持ユニット４００が連結ユニット５００により折りたたまれた状態に駆動され、支持バー２０４の各々は、シート部材２０２が変形して主要な杖１および支持バー２０４の間に折りたたまれるように、対応する駆動バー２０５により主要な杖１に向けて旋回するように駆動される。さらに、図２３に示される実施形態に類似して、突き当たり部材３０１がブロックとして構成され、上部スライダ部材２０１が最も高い位置にあるときに、下部スライダ部材１９００の下にある。
【符号の説明】
【００３９】
１  主要な杖
２、２００、２００’、２００”、２０００  シートユニット
３、３００、３００”、６、６’、６”、６０  位置決めユニット
４、４’、４”、４００、４００’、４００”、４０００、７、７”、７０  支持ユニット
５、５’、５”、５００、５００’、８、８’  連結ユニット
１０  ロッド本体
１１  ハンドル部分
１２  足部分
１３  中央の空間
１４  上部貫通穴
１６  下部貫通穴
１７  下部弾性弓形部材
１９、１９０、１９００  下部スライダ部材、底部スライダ部材
２１、２０１、２１０’、２１０”、２１００  上部スライダ部材
２２、２２”、２０２、２２０’、２２０”、２２００、２２００’  シート部材
２３、２３”、２０３、２３０”、２３００’、８０  連結セット
２４弾性部材
３１、３１”、３０１、３１０、３１０’、３１０”、６１、６１’、６１”、６１０、９０  突き当たり部材
３２、３０２、３２００、３２００’、６２’、６２１”、６２２”  中間スライダ部材
３３、６２３”  弾性部材
４１、４１”、４１０’、４１０”、４１００、７１、７１’  支持脚部
４２  補助連結
４３、７３’、７１０  上脚部構成要素
４４、４４’、４４”、４４０’、７２０  下脚部構成要素
５１、５１’、５１”、５１０’、５１０” 、５１００、８１、８１’  連結部材
１５１  上部突起
１７１  下部突起
１８１、１８２、１８３、１８４  溝
１９１  接続ロッド
１９２  通過溝
２０４  支持バー
２０５  駆動バー
２１１  貫通穴
２１２  ボタン部材
２１３、３２１  ガイドブロック
２２１  主板
２２２  側板
２３１  第１のバー
２３２  第２のバー
２３３  第３のバー
４３２’、４３２”、４３６’  副脚部構成要素
４３３、４３３’、４３３”、４３３０、７１２、７３３”  旋回式端部部分
４３４  上脚部構成要素４３の反対側の端部部分
４４１、７１１  固定されていない端部部分
５１１、５１１”、５１２’  反対側の端部
５１１’、５１２”  中間部分
【図１】
2014039812.tif 000003
【図２】
2014039812.tif 000004
【図３】
2014039812.tif 000005
【図４】
2014039812.tif 000006
【図５】
2014039812.tif 000007
【図６】
2014039812.tif 000008
【図７】
2014039812.tif 000009
【図８】
2014039812.tif 000010
【図９】
2014039812.tif 000011
【図１０】
2014039812.tif 000012
【図１１】
2014039812.tif 000013
【図１２】
2014039812.tif 000014
【図１３】
2014039812.tif 000015
【図１４】
2014039812.tif 000016
【図１５】
2014039812.tif 000017
【図１６】
2014039812.tif 000018
【図１７】
2014039812.tif 000019
【図１８】
2014039812.tif 000020
【図１９】
2014039812.tif 000021
【図２０】
2014039812.tif 000022
【図２１】
2014039812.tif 000023
【図２２】
2014039812.tif 000024
【図２３】
2014039812.tif 000025
【図２４】
2014039812.tif 000026
【図２５】
2014039812.tif 000027
【図２６】
2014039812.tif 000028
【図２７】
2014039812.tif 000029
【図２８】
2014039812.tif 000030
【外国語明細書】
2014039812000001.pdf